(57)【要約】【課題】  先端工具の脱落を抑制可能な電動工具を提供する。【解決手段】  先端工具４を締め付け力により保持する先端工具保持部７を電動工具１に取り付けるための先端工具保持部着脱ねじ８の先端工具側端面部に磁性体７を設けた。【選択図】図１
2019209397.tif 000002
【特許請求の範囲】
【請求項１】
モータと、
前記モータの駆動力を伝達する伝達機構部と、
前記伝達機構部に接続され、前記モータの駆動力を先端工具へと出力する出力部と、
前記出力部に接続され前記先端工具を保持する先端工具保持部と、を有し、
前記先端工具は複数の保持機構により前記先端工具保持部に保持されることを特徴とする電動工具。
【請求項２】
複数の前記保持機構の少なくとも1つは、磁性体によるものであり、前記磁性体は、前記出力部と前記先端工具保持部を接続する接続部材の先端工具側端部に設けられたことを特徴とする請求項１に記載の電動工具。
【請求項３】
前記接続部材の先端工具側表面にはドライバを係合するための溝が設けられたことを特徴とする請求項２に記載の電動工具。
【請求項４】
前記磁性体は、前記溝を覆わないように配置されたことを特徴とする請求項３に記載の電動工具。
【請求項５】
前記磁性体は、前記溝に沿った孔が設けられていることを特徴とする請求項３又は４に記載の電動工具。
【請求項６】
前記磁性体は、接着剤にて前記接続部材に取り付けられたことを特徴とする請求項２から４のいずれか一項に記載の電動工具。
【請求項７】
前記磁性体は、前記接続部材に複数設けられたことを特徴とする請求項２から５のいずれか一項に記載の電動工具。
【請求項８】
前記接続部材は、ねじであることを特徴とする請求項２から６のいずれか一項に記載の電動工具。
【発明の詳細な説明】
【技術分野】
【０００１】
本発明は、先端工具保持機構を有する電動工具に関する。
【背景技術】
【０００２】
先端工具を締め付け力により保持するチャックを有する電動工具は知られている。
【先行技術文献】
【特許文献】
【０００３】
【特許文献１】特開２０１１−１８３４９９
【発明の概要】
【発明が解決しようとする課題】
【０００４】
チャック自体が緩むと先端工具への締付け力が低下し、先端工具の保持が完全でなくなるため、チャックから先端工具が脱落する可能性があった。
【０００５】
本発明は、上記背景に鑑みてなされたもので、その目的は先端工具の脱落を抑制可能な電動工具を提供するものである。
【課題を解決するための手段】
【０００６】
上記目的を達成するため、本発明は、モータと、前記モータの駆動力を伝達する伝達機構部と、前記伝達機構部に接続され、前記モータの駆動力を先端工具へと出力する出力部と、前記出力軸に接続され前記先端工具を保持する先端工具保持部と、を有し、前記出力軸と前記先端工具保持部は接続部材により接続され、前記接続部材の先端工具側端部に磁性体を設けた電動工具を提供する。
【０００７】
また、前記接続部材の先端工具側表面にはドライバを係合するための溝が設けられている事が好ましい。
【０００８】
また、前記磁性体は、前記溝を覆わないように配置されている事が好ましい。
【０００９】
また、前記磁性体は、前記溝に沿った孔が設けられている事が好ましい。
【００１０】
また、前記磁性体は、接着剤にて前記接続部材に取り付けられている事が好ましい。
【００１１】
また、前記磁性体は、前記接続部材に複数設けられている事が好ましい。
【００１２】
また、前記接続部材は、ねじである事が好ましい。
【発明の効果】
【００１３】
本発明によれば、先端工具の脱落を抑制可能な電動工具を提供することができる。
【図面の簡単な説明】
【００１４】
【図１】本発明の電動工具の側断面図である。
【図２】本発明の先端工具保持部の断面図である。
【図３】本発明の先端工具を取り外した状態の先端工具保持部を前方から見た図である。
【発明を実施するための形態】
【００１５】
以下、本発明の実施例を図面に基づいて説明する。各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１６】
図１は、本発明の実施例を示す電動工具１の側断面図である。電動工具１は、ドライバドリルである。電動工具１の機械的構成は周知なので、以下、簡単に説明する。電動工具１のハウジング２は、胴体部（筒状部）２ａ、ハンドル部２ｂ、及びバッテリ装着部２ｃからなる。胴体部２ａの中央からハンドル部２ｂが下方に延びる。ハンドル部２ｂの下部にバッテリ装着部２ｃが設けられる。胴体部２ａ内には、モータ３、モータ３の駆動力を先端工具４へ伝える伝達機構部５、及びインバータ回路基板１１等が収容保持される。モータ３は、ブラシレスモータである。ハンドル部２ｂの上端部には、使用者がモータ３の駆動及び停止を切り替えるための操作部としてのトリガスイッチ１０が設けられる。バッテリ装着部２ｃ内には、制御回路基板１２が収容される。バッテリ装着部２ｃの下端部には、不図示のレール部や係止凹部が設けられ、電源となるバッテリパック１３が着脱可能に接続（装着）される。先端工具４は、先端工具保持部７に設けられた爪により先端工具保持部７に固定される。
【００１７】
伝達機構部５は、遊星歯車機構等の減速機構やモータ３の駆動力を先端工具４へ伝えるための出力部６を有する。出力部６は、外径ねじ部を有し、先端工具４を締付け力により把持する先端工具保持部７は、出力部６の外径ねじ部に螺合されている。さらに先端工具保持部７は、先端工具保持部着脱ねじ８（接続部材）によって出力部６に固定されている。
【００１８】
図２は、本発明の先端工具保持部７の断面図である。出力部６と先端工具保持部７は、外径ねじ部及び先端工具保持部着脱ねじ８によって固定されている。先端工具保持部着脱ねじ８の先端工具側は平坦部１４を有し、平坦部１４の中央にはドライバを挿入するための溝が形成されている。平坦部１４には磁性体９が接着剤で取り付けられている。
【００１９】
図３は、本発明の先端工具４を取り外した状態の先端工具保持部７を前方から見た図である。磁性体９は、先端工具保持部着脱ねじ８を電動工具本体に着脱するためのドライバを挿入させるための挿入部１５を有している。この挿入部１５により、先端工具保持部着脱ねじ８を出力部６に着脱する際に、磁性体９が作業の邪魔になることがない。なお、磁性体９と先端工具４は必ずしも接触する必要はなく、磁性体９の磁力により先端工具４の脱落が抑制可能であれば、磁性体９と先端工具４の間に空間が設けられてもよい。平坦部１４のドライバ挿入用の溝は、磁性体９に設けられた挿入部１５と対向する位置となる。これによりドライバを用いて先端工具保持部７を着脱する際に、磁性体９がドライバの挿入の邪魔になることがない。なお、磁性体９は先端工具保持部着脱ねじ８の先端工具側表面に設けられた溝を覆わないよう構成されていれば形状は問わない。
【００２０】
磁性体９の変形例として、磁性体９の厚みを調整することや、磁力の強い磁性体を用いることで磁性体９のサイズを小さくすること、サイズの小さい磁性体９を平坦部１４の一部に複数配置するよう構成してもよい。
【００２１】
また、磁性体９の取付方法については、平坦部１４に接着する以外にも、圧入や、先端工具保持部着脱ねじ８と一体成型するよう構成してもよい。
【符号の説明】
【００２２】
１  電動工具
２  ハウジング
２ａ  胴体部（筒状部）
２ｂ  ハンドル部
２ｃ  バッテリ装着部
３  モータ
４  先端工具
５  伝達機構
６  出力部
７  先端工具保持部
８  先端工具保持部着脱ねじ
９  磁性体
１０  トリガスイッチ
１１  インバータ回路基板
１２  制御回路基板
１３  バッテリパック
１４  平坦部
１５  挿入部
【図１】
2019209397.tif 000003
【図２】
2019209397.tif 000004
【図３】
2019209397.tif 000005